(57)【要約】【課題】対面時における相手方との個人情報の開示合意の後、自動的に、両者の個人情報をつき合わせたマッチング結果を携帯端末に表示させるマッチングサーバを提供する。【解決手段】２以上の携帯端末と通信可能なイントラネット通信インタフェース１６と、携帯端末の利用者毎に個人情報を蓄積した個人情報データベース１０と、第１の携帯端末から第２の携帯端末に係るパスコードを受信し、第１の携帯端末に係るパスコードと第２の携帯端末に係るパスコードとが一致するか否かを判定する開示認証部１１と、パスコードが一致した際に、第１の携帯端末を操作する利用者の個人情報と、第２の端末を操作する利用者の個人情報とを比較し、一致した項目及びその内容を第１の携帯端末へ送信するマッチング検索部１２とを有する。【選択図】      図２
2004310417.tif 000002
【特許請求の範囲】
【請求項１】
２以上の携帯端末と通信可能な第１の通信手段と、
前記携帯端末の利用者毎に個人情報を蓄積した個人情報蓄積手段と、
第１の携帯端末から第２の携帯端末に係るパスコードを受信し、前記第１の携帯端末に係るパスコードと前記第２の携帯端末に係るパスコードとが一致するか否かを判定する開示認証手段と、
前記パスコードが一致した際に、前記第１の携帯端末を操作する利用者の個人情報と、前記第２の端末を操作する利用者の個人情報とを比較し、一致した項目及びその内容を前記第１の携帯端末へ送信するマッチング検索手段と
を有することを特徴とするマッチングサーバ。
【請求項２】
前記個人情報は、時間経過と共に、変化することのない属性情報と、変化する興味情報とからなり、
前記マッチング検索手段は、前記属性情報と前記興味情報とを総当り的に比較することを特徴とする請求項１に記載のマッチングサーバ。
【請求項３】
前記利用者が使用する端末とインターネットを介して通信可能な第２の通信手段と、
前記利用者が検索サイトサーバに過去に入力した検索キーワードを前記端末から収集し、該検索キーワードを当該利用者の前記興味情報として蓄積するキーワード情報収集手段と
を有することを特徴とする請求項１又は２に記載のマッチングサーバ。
【請求項４】
前記開示認証手段は、第１の携帯端末から受信した認証コードによる認証が成功した際に、該第１の携帯端末へ第１のパスコードを送信し、第２の携帯端末から受信した認証コードによる認証が成功した際に、該第２の携帯端末から受信したパスコードが前記第１のパスコードと一致するならば、前記第２の携帯端末へ第２のパスコードを送信することにより、開示合意がなされてものとみなすものであることを特徴とする請求項１から３のいずれか１項に記載のマッチングサーバ。
【請求項５】
前記第１の携帯端末と前記第２の携帯端末との間で、相互に相手方パスコードを交換するためのパスコード送受信手段を更に有することを特徴とする請求項１から４のいずれか１項に記載のマッチングサーバ。
【発明の詳細な説明】
【０００１】
【発明の属する技術分野】
個人情報に基づくマッチングサーバに関する。
【０００２】
【従来の技術】
従来より、国際会議等の普段面識の無い参加者間でコミュニケーションを促進するための技術がある（例えば非特許文献１参照）。この技術によれば、参加者の個人情報を事前に収集し、参加者各人が使用する携帯端末内の記憶装置に登録しておくものである。個人情報としては、例えば、名前、所属、国際会議内での役割・研究内容、キーワード、自己紹介等がある。これにより、会議期間中、参加者は、携帯端末を用いて相手方の個人情報を参照することにより、その興味が有る分野等を知ることができる。
【０００３】
【非特許文献１】
石田亨、外１１名「モバイルコンピューティングによる国際会議支援」、情報処理学会論文誌、Ｖｏｌ．３９，Ｎｏ．１０、ｐｐ．２８５５−２８６５、１９９８年１０月
【０００４】
【発明が解決しようとする課題】
しかしながら、従来の技術では、相手方と同じ興味のある分野等を知るには、自ら相手方の個人情報を参照し、その興味のある分野等を目視で確認する必要があった。その目視に必要な時間は、参加者間のコミュニケーションの促進を鈍らせる要因ともなり得る。
【０００５】
また、従来の技術によれば、全ての参加者が、全ての参加者の個人情報を参照可能とするものであるため、対面している相手方にのみ、自己の個人情報を開示したいとするようにすることができない。個人情報の秘匿性の確保という点からも、問題があった。
【０００６】
更に、個人情報の中でも、属性情報は変化することが少ないが、興味情報は嗜好に合わせて変化しやすいものである。従来の技術によれば、このような興味情報も参加者自身が入力する必要があり、面倒な作業となっている。特に、個人情報のマッチング対象となる個人情報も、ここで自ら入力されたものに限られるという問題もあった。
【０００７】
そこで、本発明は、対面時における相手方との個人情報の開示合意の後、自動的に、両者の個人情報をつき合わせたマッチング結果を携帯端末に表示させるマッチングサーバを提供することを目的とする。
【０００８】
【課題を解決するための手段】
本発明のマッチングサーバによれば、
２以上の携帯端末と通信可能な第１の通信手段と、
携帯端末の利用者毎に個人情報を蓄積した個人情報蓄積手段と、
第１の携帯端末から第２の携帯端末に係るパスコードを受信し、第１の携帯端末に係るパスコードと第２の携帯端末に係るパスコードとが一致するか否かを判定する開示認証手段と、
パスコードが一致した際に、第１の携帯端末を操作する利用者の個人情報と、第２の端末を操作する利用者の個人情報とを比較し、一致した項目及びその内容を第１の携帯端末へ送信するマッチング検索手段と
を有することを特徴とする。
【０００９】
本発明のマッチングサーバにおける他の実施形態によれば、
個人情報は、時間経過と共に、変化することのない属性情報と、変化する興味情報とからなり、
マッチング検索手段は、属性情報と興味情報とを総当り的に比較することも好ましい。
【００１０】
更に、本発明のマッチングサーバにおける他の実施形態によれば、
利用者が使用する端末とインターネットを介して通信可能な第２の通信手段と、
利用者が検索サイトサーバに過去に入力した検索キーワードを端末から収集し、該検索キーワードを当該利用者の興味情報として蓄積するキーワード情報収集手段と
を有することも好ましい。
【００１１】
更に、本発明のマッチングサーバにおける他の実施形態によれば、
開示認証手段は、第１の携帯端末から受信した認証コードによる認証が成功した際に、該第１の携帯端末へ第１のパスコードを送信し、第２の携帯端末から受信した認証コードによる認証が成功した際に、該第２の携帯端末から受信したパスコードが第１のパスコードと一致するならば、第２の携帯端末へ第２のパスコードを送信することにより、開示合意がなされてものとみなすものであることも好ましい。
【００１２】
更に、本発明のマッチングサーバにおける他の実施形態によれば、
第１の携帯端末と第２の携帯端末との間で、相互に相手方パスコードを交換するためのパスコード送受信手段を更に有することも好ましい。
【００１３】
【発明の実施の形態】
図１は、本発明におけるシステム構成図である。
【００１４】
図１のシステムによれば、マッチングサーバ１は、一方がインターネット９に接続されており、他方がイントラネットに接続されている。このイントラネットは、例えば会議場内で用いられる無線ＬＡＮのようなネットワークを意味する。図１によれば、アクセスポイント７を介して携帯端末２及び３が接続されている。
【００１５】
ここで、携帯端末は、必ずしもマッチングサーバ１と直接的に接続されている必要はない。例えば、携帯端末が携帯電話機４である場合、インターネット９に接続された基地局８ａを介してマッチングサーバ１と接続されてもよい。また、携帯端末５のようにインターネット９と直接的に接続可能な機能を有しているならば、基地局８ｂを介してマッチングサーバ１と接続されてもよい。
【００１６】
更に、図１によれば、利用者が通常使用する端末６も、インターネット９に接続されている。利用者が通常使用する端末６に蓄積された、その利用者の興味情報（例えば検索エンジンサイトに入力されるキーワード）を、マッチングサーバ１によって収集することができる。
【００１７】
図２は、本発明におけるマッチングサーバ１の機能構成図である。
【００１８】
図２のマッチングサーバ１によれば、個人情報データベース１０と、開示認証部１１と、マッチング検索部１２と、パスコード送受信部１３と、キーワード情報収集部１４と、インターネット通信インタフェース部１５と、イントラネット通信インタフェース部１６とを有する。
【００１９】
個人情報データベース１０は、認証情報データベース１０１と、属性情報データベース１０２と、興味情報データベース１０３とを有する。
【００２０】
認証情報データベース１０１は、利用者の認証のために、利用者毎のＩＤ（識別情報）及びパスワードを有する。
【００２１】
属性情報データベース１０２は、利用者毎の固定的な属性情報を蓄積する。例えば、名前、出身都道府県、住所都道府県、誕生年、誕生月、誕生日、星座、血液型等の情報を蓄積する。これら情報は、利用者によって通常利用する端末６を介してマッチングサーバ１へ入力される。
【００２２】
興味情報データベース１０３は、利用者が現在興味を持つ興味情報を蓄積する。例えば、好きなプロ野球チーム、愛用しているパソコン機種、所持している携帯電話機等の情報を蓄積する。これら興味情報は、属性情報と異なって、個人の興味に基づいて時間経過と共に変化するものである。
【００２３】
マッチングサーバ１は、インターネット通信インタフェース部１５を介してインターネット９に接続されており、イントラネット通信インタフェース部１６によって、例えば無線ＬＡＮのようなアクセスポイント７に接続されている。
【００２４】
開示認証部１１は、携帯端末２又は３からイントラネット通信インタフェース部１６を介して認証コード（ＩＤ及びパスワード）を受信する。その認証コードは、認証情報データベース１０１に蓄積された当該利用者の認証コードと比較され、認証の成否が判断される。認証が成功した場合、パスコード管理部１７を用いて当該利用者に対するパスコードが決定される。パスコードとは、利用者毎に付されるコードであって、相手方利用者との間で開示合意のために交換されるものをいう。パスコード管理部１７は、パスコードの一時的な生成と、その一致判定とを行うものである。そのパスコードは、イントラネット通信インタフェース１６を介して端末２又は３へ送信される。
【００２５】
尚、開示認証部１１は、携帯電話機４又は携帯端末５からインターネット通信インタフェース部１７を介して認証コードを受信することもできる。この場合も同様に、認証が成功したならば、当該利用者に対するパスコードが、インターネット通信インタフェース１５を介して端末４又は５へ送信される。
【００２６】
パスコード送受信部１３は、携帯端末２又は３からイントラネット通信インタフェース部１６を介して相手方パスコードを受信する。相手方パスコードは、パスコード管理部１７へ通知され、パスコード管理部１７は、双方向のパスコードの交換が成立したことをもって、両者間の開示合意が成立したものとする。パスコードは、一時的に付されるもので、ユーザＩＤと括り付けられたものではない。
【００２７】
この開示合意の成立後、マッチング検索部１２は、その相手方利用者と自利用者とについて、属性情報データベース１０２と興味情報データベース１０３とを用いて、マッチング情報を検索する。
【００２８】
例えば、利用者Ａの属性情報は、表１のようなものであったとする。
【表１】
2004310417.tif 000003
【００２９】
例えば、利用者Ｂの属性情報が、表２のようなものであったとする。
【表２】
2004310417.tif 000004
【００３０】
例えば、利用者Ａの興味情報が、表３のようなものであったとする。
【表３】
2004310417.tif 000005
【００３１】
例えば、利用者Ｂの興味情報が、表４のようなものであったとする。
【表４】
2004310417.tif 000006
【００３２】
マッチング検索部１２は、例えば、以下の４とおりの検索を行う。
利用者Ａの属性情報＜−＞利用者Ｂの属性情報
利用者Ａの興味情報＜−＞利用者Ｂの興味情報
利用者Ａの属性情報＜−＞利用者Ｂの興味情報
利用者Ａの興味情報＜−＞利用者Ｂの属性情報
【００３３】
マッチングのルールとしては、属性情報と属性情報とのマッチングについては、同じ項目同士の間の内容が一致するか否かを確認する。また、属性情報と興味情報とのマッチング、及び興味情報と興味情報とマッチングについては、それぞれの項目の内容の総当りで一致するか否かを確認する。
【００３４】
前述の表１〜４によれば、利用者Ａと利用者Ｂとは、誕生月が２月である点でマッチングするといえる。このマッチング結果の情報は、イントラネット通信インタフェース１６を介して端末２又は３へ送信される。
【００３５】
尚、マッチング検索部１２は、携帯電話機４又は携帯端末５からインターネット通信インタフェース部１７を介して相手方パスコードを受信することもできる。この場合も同様に、マッチング情報が、インターネット通信インタフェース１５を介して端末４又は５へ送信される。
【００３６】
相手方と対面した際に、相手方携帯端末からパスコードを得る必要があるときに利用される。もちろん、携帯端末同士で直接的に通信することが可能な機能（例えば赤外線ポート又は近距離省電力無線通信方式）によって、パスコードを送受信することも好ましい。
【００３７】
キーワード情報収集部１４は、インターネットに接続された、利用者が通常利用する端末６から、興味情報を収集するものである。ここでの興味情報は、端末６を用いて、インターネット上の各種検索エンジン利用時に入力したキーワードである。これら情報は、通常、利用者における最近の興味を端的に表すキーワードであると推認できる。そこで、キーワード情報収集部１４は、端末６のブラウザから入力されたキーワードを取得し、個人情報データベース１０の興味情報データベース１０３に蓄積する。同時にキーワードが入力された日付及び時刻も記録する。
【００３８】
図３は、本発明による開示合意におけるシーケンス図である。
【００３９】
図３によれば、利用者Ａと利用者Ｂとの対面時に、利用者Ａの携帯端末と、利用者Ｂの携帯端末とが開示合意し、マッチング結果を得るまでのシーケンスについて説明する。
【００４０】
（Ｓ１）利用者Ａの携帯端末は、マッチングサーバ１に対して、利用者認証コードを送信し、ログインする。ここでは、例えば利用者ＩＤ及びパスワードによる一般的な手段を想定しているが、特に問わない。
（Ｓ２）マッチングサーバ１は、利用者Ａの利用者認証を行い、ＮＧであれば処理を中止する。ＯＫであれば、マッチングサーバ１から利用者Ａの携帯端末へパスコード「３８４６」（例えばこのように任意の４桁の数字とする）が送信される。このパスコードは、利用者Ａの携帯端末に表示される。
（Ｓ３）利用者Ａと利用者Ｂとは対面していることを想定しているので、利用者Ｂの携帯端末は、利用者Ａの携帯端末からパスコードを取得する。このとき、赤外線ポート又は近距離省電力無線方式によって、パスコードを取得することができる。
（Ｓ４）利用者Ｂの携帯端末は、マッチングサーバ１に対して、利用者認証を通じて、ログインする。マッチングサーバ１は、利用者Ｂの利用者認証を行い、ＮＧであれば処理を中止する。
（Ｓ５）ＯＫであれば、利用者Ｂの携帯端末は、利用者Ａのパスコード「３８４６」を入力する。入力された利用者Ａのパスコードは、マッチングサーバ１へ送信される。このとき、マッチングサーバ１は、利用者Ｂから送信された利用者Ａのパスコードが、利用者Ａに送信したパスコードと一致するか否かを確認する。
（Ｓ６）一致していれば、マッチングサーバ１は、利用者Ｂの携帯端末へ利用者Ｂのパスコード「３４０９」を送信し（利用者Ａに送信されたものとは異なる）、利用者Ｂの携帯端末にパスコードが表示される。特に、マッチングサーバ１は、同時に複数の対面時の開示合意におけるマッチングの実行の処理を行うけれども、同時に同一のパスコードは使用しないことで、ユニーク性を維持する。
（Ｓ７）利用者Ａの携帯端末は、利用者Ｂの携帯端末からパスコード「３４０９」を取得する。
（Ｓ８）利用者Ａの携帯端末は、利用者Ｂのパスコード「３４０９」を、マッチングサーバ１へ送信する。
（Ｓ９）マッチングサーバ１は、利用者Ａから送信されたパスコードが、利用者Ｂへ送信したものと一致するか否かを確認する。一致した場合、開示合意がなされたものと判断し、利用者Ａと利用者Ｂとの個人情報のマッチング検索が行われる。そのマッチング結果は、利用者Ａ及び利用者Ｂの携帯端末へ送信される。
【００４１】
尚、以上の処理には制限時間を設定し、ログイン後、一定時間一致するパスコードが送信されない、又は一致するパスコードを送信できない場合は、処理を中止することが好ましい。
【００４２】
【発明の効果】
以上詳細に説明したように、本発明のマッチングサーバによれば、対面時における相手方との個人情報の開示合意の後、自動的に、両者の個人情報をつき合わせたマッチング結果を携帯端末に表示させることができる。
【００４３】
これにより、短時間でお互いの共通点や共通の興味を知るための手がかりを得ることができ、コミュニケーションの促進を図ることができる。特に、動的に変化する個人の興味情報もマッチングの対象とすることで、静的であまり変化しない個人の属性情報だけを用いたマッチングでは知り得ない、意外な共通点や共通の興味の発見につながる。
【００４４】
また、本発明によれば、個人の興味情報については、予め個人活動に付帯して生成される情報を自動的に収集するキーワード情報収集部を有する。これは、検索エンジンサイトの利用時に入力したキーワードを、個人が平常時使用する端末上の記録装置で取得する。そこで入力されたキーワードは、その者の最近の興味を端的に表すと考えられる。これにより、興味情報の入力の負担を軽減することができるだけでなく、その情報量を増大させることができるので、マッチングの範囲を拡大することができる。
【図面の簡単な説明】
【図１】本発明によるシステム構成図である。
【図２】本発明によるマッチングサーバの機能構成図である。
【図３】本発明による開示合意におけるシーケンス図である。
【符号の説明】
１  マッチングサーバ
１０  個人情報データベース
１０１  認証情報データベース
１０２  属性情報データベース
１０３  興味情報データベース
１１  開示認証部
１２  マッチング検索部
１３  パスコード送受信部
１４  キーワード情報収集部
１５  インターネット通信インタフェース
１６  イントラネット通信インタフェース
１７  パスコード管理部
２、３、５  携帯端末
４  携帯電話機
６  端末
７  アクセスポイント
８ａ、８ｂ  基地局
９  インターネット
【図１】
2004310417.tif 000007
【図２】
2004310417.tif 000008
【図３】
2004310417.tif 000009